(57)【特許請求の範囲】
【請求項１】
通話機能を有する電子機器において、
制御対象となる他の電子機器に対して送信する制御信号が登録されている他電子機器制御信号テーブルと、
前記制御信号の制御内容を表示する情報が登録されている表示情報テーブルと、
通話中に他の電子機器から発生する音量を検出する音量検出手段と、
この音量検出手段により検出された音量が予め設定された基準値より大きい場合には、前記他の電子機器に対して音量調整を行う制御信号を前記他電子機器制御信号テーブルから抽出して出力する制御信号出力手段と、
前記制御信号出力手段より出力される制御信号の制御内容を前記表示情報テーブルから抽出して前記他の電子機器に出力する表示情報出力手段とを備えたことを特徴とする他の電子機器を制御可能な電子機器。
【請求項２】
通話機能を有する電子機器において、
制御対象となる他の電子機器に対して送信する制御信号が登録されている他電子機器制御信号テーブルと、
前記制御信号の制御内容を表示する情報が登録されている表示情報テーブルと、
通話中に他の電子機器から発生する音量を検出する音量検出手段と、
この音量検出手段により検出された音量が予め設定された基準値より大きい場合には、前記他の電子機器に対して電源を切る制御信号を前記他電子機器制御信号テーブルから抽出して出力する制御信号出力手段と、
前記制御信号出力手段より出力される制御信号の制御内容を前記表示情報テーブルから抽出して前記他の電子機器に出力する表示情報出力手段とを備えたことを特徴とする他の電子機器を制御可能な電子機器。
【請求項３】
通話機能を有する電子機器において、
制御対象となる他の電子機器に対して送信する制御信号が登録されている他電子機器制御信号テーブルと、
前記制御信号の制御内容を表示する情報が登録されている表示情報テーブルと、
通話中に、通話機能を有する他の電子機器の着信音を検出する着信音検出手段と、
この着信音検出手段により着信音が検出された場合には、前記他の電子機器に対して保留モードに移行させる制御信号を前記他電子機器制御信号テーブルから抽出して出力する制御信号出力手段と、
前記制御信号出力手段より出力される制御信号の制御内容を前記表示情報テーブルから抽出して前記他の電子機器に出力する表示情報出力手段とを備えたことを特徴とする他の電子機器を制御可能な電子機器。
【請求項４】
通話機能を有する電子機器において、
制御対象となる他の電子機器に対して送信する制御信号が登録されている他電子機器制御信号テーブルと、
前記制御信号の制御内容を表示する情報が登録されている表示情報テーブルと、
通話中に、調理器具などの他の電子機器の動作に関連して発せられる警告音を検出する警告音検出手段と、
この警告音検出手段により警告音が検出された場合には、前記他の電子機器に対して動作を停止させる制御信号を前記他電子機器制御信号テーブルから抽出して出力する制御信号出力手段と、
前記制御信号出力手段より出力される制御信号の制御内容を前記表示情報テーブルから抽出して前記他の電子機器に出力する表示情報出力手段とを備えたことを特徴とする他の電子機器を制御可能な電子機器。
【請求項５】
通話機能を有する電子機器において、
制御対象となる他の電子機器に対して送信する制御信号が登録されている他電子機器制御信号テーブルと、
前記制御信号の制御内容を表示する情報が登録されている表示情報テーブルと、
通話中に、ガス漏れ警報機が発する警告音を検出する警告音検出手段と、
この警告音検出手段により警告音が検出された場合には、通信機能を有する他の電子機器に対して緊急通報動作を実行させる制御信号を前記他電子機器制御信号テーブルから抽出して出力する制御信号出力手段と、
前記制御信号出力手段より出力される制御信号の制御内容を前記表示情報テーブルから抽出して前記他の電子機器に出力する表示情報出力手段とを備えたことを特徴とする他の電子機器を制御可能な電子機器。
【請求項６】
通話機能を有する電子機器において、
制御対象となる他の電子機器に対して送信する制御信号が登録されている他電子機器制御信号テーブルと、
前記制御信号の制御内容を表示する情報が登録されている表示情報テーブルと、
通話中にその電子機器のアラーム作動時刻になった場合には、アラーム機能を有する他の電子機器に対してアラーム機能を動作させる制御信号を前記他電子機器制御信号テーブルから抽出して出力する制御信号出力手段と、
前記制御信号出力手段より出力される制御信号の制御内容を前記表示情報テーブルから抽出して前記他の電子機器に出力する表示情報出力手段とを備えたことを特徴とする他の電子機器を制御可能な電子機器。
【請求項７】
通話機能を有する電子機器において、
制御対象となる他の電子機器に対して送信する制御信号が登録されている他電子機器制御信号テーブルと、
前記制御信号の制御内容を表示する情報が登録されている表示情報テーブルと、
通話中に他の人からの着信を留守番電話モードで録音する場合、音声を録音できる機能を有する他の電子機器に対して音声録音の制御信号を前記他電子機器制御信号テーブルから抽出して出力する制御信号出力手段と、
前記制御信号出力手段より出力される制御信号の制御内容を前記表示情報テーブルから抽出して前記他の電子機器に出力する表示情報出力手段とを備えたことを特徴とする他の電子機器を制御可能な電子機器。
【請求項８】
通話機能を有する電子機器において、
制御対象となる他の電子機器に対して送信する制御信号が登録されている他電子機器制御信号テーブルと、
前記制御信号の制御内容を表示する情報が登録されている表示情報テーブルと、
通話中にその電子機器の時刻修正を行った場合には、時計機能を有する他の電子機器に対して時刻修正の制御信号を前記他電子機器制御信号テーブルから抽出して出力する制御信号出力手段と、
前記制御信号出力手段より出力される制御信号の制御内容を前記表示情報テーブルから抽出して前記他の電子機器に出力する表示情報出力手段とを備えたことを特徴とする他の電子機器を制御可能な電子機器。
【請求項９】
請求項１から請求項８までのいずれか１項に記載の他の電子機器を制御可能な電子機器において、
前記表示情報テーブルから抽出した制御内容を自器の表示部に表示する表示手段を備えたことを特徴とする他の電子機器を制御可能な電子機器。
【発明の詳細な説明】
【０００１】
【発明の属する技術分野】
本発明は、通話機能を有する電子機器（固定電話機、携帯電話機、簡易型携帯電話機（ＰＨＳ）等を含む）において、他の電子機器を制御可能な電子機器に関する。
【０００２】
【従来の技術】
従来より、送話系の特性を改善した電話端末（特公平６−１０１７６０号公報）や、周囲の雑音レベルによって受話音量を自動調節する受話音量自動可変回路（特許登録第２６０６２７２号公報）などが提案されている。特公平６−１０１７６０号公報に記載の電話端末は、騒音の大きい環境ではマイクロホンに侵入する騒音による雑音を抑制し、騒音の小さい環境ではこうした動作を排除して自然な通話特性を実現するようになっている。また、特許登録第２６０６２７２号公報に記載の受話音量自動可変回路は、雑音の入力にマイクロホンを利用し、また送話者が音声を発していないときに周囲の雑音レベルを検出するようにして、可変利得増幅器の利得を制御し、受話音量を自動調節するようになっている。すなわち、いずれも電話端末の周囲雑音レベルに応じて、電話端末の音量を調整するようになっている（これらをまとめて従来技術１という）。
【０００３】
また、特開平７−２３０８５号公報に記載の電動機応用機器は、電話やインターホンの呼び出し音やテレビの音声が、掃除機などの電動機から発生される騒音によって聞き取りにくい場合、電動機の運転開始時に自動的にテレビの音量を大きくしたり、インターホンの呼び出し信号を受信したことを知らせる報知器を設けたり、電動機自体の騒音を下げて運転するように制御する構成となっている（これを従来技術２という）。
【０００４】
【発明が解決しようとする課題】
しかしながら、上記した従来技術１のものでは、周囲の雑音レベルに応じて、電話端末に入ってくる雑音自体を調整したり、電話端末の受話音量を調整することにより、受話状態を良好にするものであった。すなわち、雑音の発生源となる電子機器の電源を切るなど、雑音発生源の電子機器自体を制御するものではないため、すべての雑音を除去することは難しいといった問題があった。
【０００５】
また、上記した従来技術２のものでは、雑音発生源の電子機器を制御できる機能に関するものであるが、あくまでも電話の呼び出し音が聞こえにくい場合に、雑音発生源となる電動機応用機器を制御するものであり、電話端末の使用中に自動的に他の電子機器を調整できるものではない。そのため、受話しながら使用者自身が、他の電子機器や電動応用機器等の電源を切ったりするなどの制御を行わなければならないといった問題があった。
【０００６】
本発明はかかる問題点を解決すべく創案されたもので、その目的は、通話中であっても、他の電子機器の電源を切る等の制御を自動的に行うことのできる他の電子機器を制御可能な電子機器を提供することにある。
【０００７】
【課題を解決するための手段】
上記課題を解決するため、本発明に係わる他の電子機器を制御可能な電子機器は、通話機能を有する電子機器において、制御対象となる他の電子機器に対して送信する制御信号が登録されている他電子機器制御信号テーブルと、前記制御信号の制御内容を表示する情報が登録されている表示情報テーブルと、通話中に他の電子機器から発生する音量を検出する音量検出手段と、この音量検出手段により検出された音量が予め設定された基準値より大きい場合には、前記他の電子機器に対して音量調整を行う制御信号を前記他電子機器制御信号テーブルから抽出して出力する制御信号出力手段と、前記制御信号出力手段より出力される制御信号の制御内容を前記表示情報テーブルから抽出して前記他の電子機器に出力する表示情報出力手段とを備えたことを特徴とする。
【０００８】
このような特徴を有する本発明によれば、通話機能を有する電子機器で通話中に、受話相手の音声がそれ以外の音で妨害されたため、通話内容が聞き取りにくい状態であった場合には、他の音の発生源である他の電子機器の音量を自動的に調整することにより、通話相手の音声を聞き取りやすくすることができる。
【０００９】
また、本発明に係わる他の電子機器を制御可能な電子機器は、通話機能を有する電子機器において、制御対象となる他の電子機器に対して送信する制御信号が登録されている他電子機器制御信号テーブルと、前記制御信号の制御内容を表示する情報が登録されている表示情報テーブルと、通話中に他の電子機器から発生する音量を検出する音量検出手段と、この音量検出手段により検出された音量が予め設定された基準値より大きい場合には、前記他の電子機器に対して電源を切る制御信号を前記他電子機器制御信号テーブルから抽出して出力する制御信号出力手段と、前記制御信号出力手段より出力される制御信号の制御内容を前記表示情報テーブルから抽出して前記他の電子機器に出力する表示情報出力手段とを備えたことを特徴とする。
【００１０】
このような特徴を有する本発明によれば、通話機能を有する電子機器で通話中に、受話相手の音声がそれ以外の音で妨害されたため、通話内容が聞き取りにくい状態であった場合には、他の音の発生源である他の電子機器の電源を切ることにより、通話相手の音声を聞き取りやすくすることができる。
【００１１】
また、本発明に係わる他の電子機器を制御可能な電子機器は、通話機能を有する電子機器において、制御対象となる他の電子機器に対して送信する制御信号が登録されている他電子機器制御信号テーブルと、前記制御信号の制御内容を表示する情報が登録されている表示情報テーブルと、通話中に、通話機能を有する他の電子機器の着信音を検出する着信音検出手段と、この着信音検出手段により着信音が検出された場合には、前記他の電子機器に対して保留モードに移行させる制御信号を前記他電子機器制御信号テーブルから抽出して出力する制御信号出力手段と、前記制御信号出力手段より出力される制御信号の制御内容を前記表示情報テーブルから抽出して前記他の電子機器に出力する表示情報出力手段とを備えたことを特徴とする。
【００１２】
このような特徴を有する本発明によれば、通話機能を有する電子機器で通話中に、携帯電話等の通話機能を有する他の電子機器に着信があるため、これに応答する必要が生じた場合でも、他の電子機器を自動的に保留モードにすることができるので、現在の通話を即座に中断する必要がなくなる。
【００１３】
また、本発明に係わる他の電子機器を制御可能な電子機器は、通話機能を有する電子機器において、制御対象となる他の電子機器に対して送信する制御信号が登録されている他電子機器制御信号テーブルと、前記制御信号の制御内容を表示する情報が登録されている表示情報テーブルと、通話中に、調理器具などの他の電子機器の動作に関連して発せられる警告音を検出する警告音検出手段と、この警告音検出手段により警告音が検出された場合には、前記他の電子機器に対して動作を停止させる制御信号を前記他電子機器制御信号テーブルから抽出して出力する制御信号出力手段と、前記制御信号出力手段より出力される制御信号の制御内容を前記表示情報テーブルから抽出して前記他の電子機器に出力する表示情報出力手段とを備えたことを特徴とする。
【００１４】
このような特徴を有する本発明によれば、通話中に、調理器具などの他の電子機器の動作に関連して警告音が発せられた場合でも、通話を中断することなく、その発生源である他の電子機器の動作を自動的に停止させることができる。
【００１５】
また、本発明に係わる他の電子機器を制御可能な電子機器は、通話機能を有する電子機器において、制御対象となる他の電子機器に対して送信する制御信号が登録されている他電子機器制御信号テーブルと、前記制御信号の制御内容を表示する情報が登録されている表示情報テーブルと、通話中に、ガス漏れ警報機が発する警告音を検出する警告音検出手段と、この警告音検出手段により警告音が検出された場合には、通信機能を有する他の電子機器に対して緊急通報動作を実行させる制御信号を前記他電子機器制御信号テーブルから抽出して出力する制御信号出力手段と、前記制御信号出力手段より出力される制御信号の制御内容を前記表示情報テーブルから抽出して前記他の電子機器に出力する表示情報出力手段とを備えたことを特徴とする。
【００１６】
このような特徴を有する本発明によれば、通話中に、ガス漏れ警報機が発する警告音を検知した場合でも、通話を中断することなく、通信機能を有する他の電子機器を利用して、ガス会社等に自動的に通報することができる。
【００１７】
また、本発明に係わる他の電子機器を制御可能な電子機器は、通話機能を有する電子機器において、制御対象となる他の電子機器に対して送信する制御信号が登録されている他電子機器制御信号テーブルと、前記制御信号の制御内容を表示する情報が登録されている表示情報テーブルと、通話中にその電子機器のアラーム作動時刻になった場合には、アラーム機能を有する他の電子機器に対してアラーム機能を動作させる制御信号を前記他電子機器制御信号テーブルから抽出して出力する制御信号出力手段と、前記制御信号出力手段より出力される制御信号の制御内容を前記表示情報テーブルから抽出して前記他の電子機器に出力する表示情報出力手段とを備えたことを特徴とする。
【００１８】
このような特徴を有する本発明によれば、通話中の電子機器に設定されたアラーム機能が動作した場合、同じくアラーム機能を有する他の電子機器のアラームを動作させることにより、通話を中断することなくアラーム時刻を知らせることができる。
【００１９】
また、本発明に係わる他の電子機器を制御可能な電子機器は、通話機能を有する電子機器において、制御対象となる他の電子機器に対して送信する制御信号が登録されている他電子機器制御信号テーブルと、前記制御信号の制御内容を表示する情報が登録されている表示情報テーブルと、通話中に他の人からの着信を留守番電話モードで録音する場合、音声を録音できる機能を有する他の電子機器に対して音声録音の制御信号を前記他電子機器制御信号テーブルから抽出して出力する制御信号出力手段と、前記制御信号出力手段より出力される制御信号の制御内容を前記表示情報テーブルから抽出して前記他の電子機器に出力する表示情報出力手段とを備えたことを特徴とする。
【００２０】
このような特徴を有する本発明によれば、その電子機器自体の留守番電話用メモリの不足を解消したり、電話会社の提供する留守番電話サービスを利用する際に、留守番電話内容を確認するために電話をかけるような煩雑な操作を解消することができる。また、大切な内容の留守番電話内容を他の電子機器のメモリに記憶しておき、いつでも、何回でも、その内容を確認することができる。
【００２１】
また、本発明に係わる他の電子機器を制御可能な電子機器は、通話機能を有する電子機器において、制御対象となる他の電子機器に対して送信する制御信号が登録されている他電子機器制御信号テーブルと、前記制御信号の制御内容を表示する情報が登録されている表示情報テーブルと、通話中にその電子機器の時刻修正を行った場合には、時計機能を有する他の電子機器に対して時刻修正の制御信号を前記他電子機器制御信号テーブルから抽出して出力する制御信号出力手段と、前記制御信号出力手段より出力される制御信号の制御内容を前記表示情報テーブルから抽出して前記他の電子機器に出力する表示情報出力手段とを備えたことを特徴とする。
【００２２】
このような特徴を有する本発明によれば、時計機能を有する電子機器において設定した時刻を、時計機能を有する他の電子機器に転送することにより、時計機能を有する他の電子機器の時刻を自動的に設定することができる。すなわち、時計機能を有する他の電子機器に関して、時刻を合わせる操作の煩雑さを解消することができる。
【００２３】
上記した各発明において共通する技術的特徴は、制御対象となる他の電子機器に対して送信する制御信号が登録されている他電子機器制御信号テーブルと、前記制御信号の制御内容を表示する情報が登録されている表示情報テーブルとを備えるとともに、制御信号出力手段より出力される制御信号の制御内容を前記表示情報テーブルから抽出して前記他の電子機器に出力する表示情報出力手段を備えた点、及び前記表示情報テーブルから抽出した制御内容を自器の表示部に表示する表示手段を備えた点にある。
【００２４】
このような構成とすれば、通話機能を有する電子機器より自動的に制御信号を出力（送信）した際に、その制御信号の内容を送信側の電子機器および受信側の電子機器の双方で表示することができるので、実際にどのような制御を行っているのかを目視により確認することができる。
【００２５】
【発明の実施の形態】
以下、本発明の実施の形態について、図面を参照して説明する。
【００２６】
図１は、本発明に係わる電子機器と他の電子機器とを含むシステム全体の構成を示すブロック図である。
【００２７】
図中の電子機器１は、通話機能を有する電子機器であり、ＣＰＵ１４を中心に、各種情報を表示する表示部１１、アンテナ等を含む通信部１２、各種ボタンを有するキー入力部１３、電子機器１全体の動作プログラムを格納したＲＯＭ１５、各種データの記憶やワークエリアとして動作するＲＡＭ１６、音声の他に周辺のノイズを検出するマイク等の受信部１８、通話相手の音声などを出力するスピーカ１９、赤外線等の制御信号を送信するための発信部１７を備えている。ＲＡＭ１６には、後述する図２ないし図６に示すような各エリアが格納されている。
【００２８】
また、電子機器２は、電子機器１の制御対象となるオーディオを想定した他の電子機器であり、ＣＰＵ２７を中心に、電子機器１からの制御信号を受信する受信部２１、各種情報を表示する表示部２２、音楽媒体であるＣＤ等を動作させるための駆動部２３、音を出力するスピーカ２４、各種ボタンの入力操作を行うキー入力部２５、電子機器２全体の動作プログラムを格納したＲＯＭ２６、各種データの記憶やワークエリアとして動作するＲＡＭ２８を備えている。なお、各電子機器１，２は、それぞれＣＰＵ１４，２７により制御されているものとする。なお、図１に示した他の電子機器２は、上記した如くオーディオを想定したものであり、これが例えば通話機能を有する他の電子機器であれば、保留機能等を備えており、通信機能を有する他の電子機器であれば、各種の警報を通報する通報機能を備えている。
【００２９】
図２は、通話中に、他の電子機器２の制御の設定を行うために使用するエリアである他電子機器制御エリアＢｎを示している。このエリアの動作としては、各フラグエリアを参照して各フラグにおける制御を行うというものである。例えば、あるフラグ部が０か１かを見て、１ならそのフラグ部の制御を行い、０なら制御しないという処理となるように管理されている。
【００３０】
音量フラグエリアＢ１は、テレビやオーディオ等の音量が大きいために通話相手の声が聞き取りにくい場合、これら周辺の音響関連機器の音量を下げる制御信号を送信するかどうかを設定するエリアである。同様に、電源フラグエリアＢ２は、周辺の音響電子機器の電源をオフするような制御信号を送信するかどうかを設定するエリアである。
【００３１】
保留フラグエリアＢ３は、通話中に携帯電話等の他の電子機器に着信があった場合に、その電子機器の通信を保留モードに移行させるための制御信号を送信するかどうかを設定するフラグである。緊急電源フラグエリアＢ４は、ノイズとしてガス検知機や火災報知機の警告音や、ヤカンでお湯を沸かしたときに発生するケトル音などを検出した場合に、ガスをはじめとする調理器具等の電源を切るための制御信号を送信するかどうかを設定するエリアである。
【００３２】
緊急連絡フラグエリアＢ５は、他の通信機器からガス会社や消防署等へ緊急連絡をさせるための制御信号を送信するかどうかを設定するエリアである。アラームフラグエリアＢ６は、通話中に、設定していたアラーム起動時刻に達した場合、アラーム機能を有する他の電子機器のアラームを作動させる制御信号を送信するかどうかを設定するエリアである。
【００３３】
録音フラグエリアＢ７は、不在等のため、着信時に留守番電話モードで繋がって録音がスタートした場合に、録音機能を有する他の電子機器に音声の録音を行うような制御信号を送信するかどうかを設定するエリアである。時刻フラグエリアＢ８は、オンライン等で時刻の修正を行った場合に、時計機能を有する他の電子機器の時刻も自動的に修正させるような制御信号を送信するかどうかを設定するエリアである。
【００３４】
図３は、通話中の周辺ノイズが何の音であるのかを判定する際に必要となるノイズのテンプレートを集めたエリアである、ノイズテーブルエリアＣｎを示している。ノイズテーブルエリアＣｎには、ガス警報機の警報音（Ｃ１）、火災報知機の火災警報音（Ｃ２）、泥棒が侵入したときの侵入警報音（Ｃ３）、ヤカンでお湯を沸かしたときに発生するケトル音（Ｃ４）、携帯電話の着信音（Ｃ５）など、いくつかの音データが登録されている。また、新しく登録することもでき、携帯電話の着信メロディーや新しい電子機器のようなものにも対応している。これらのテンプレートと検出したノイズのデータとを比較することにより、周辺ノイズがどの警告音であるのか、または携帯電話等の通話機能を有する電子機器の呼出音であるのか、それとも、どれにも属さないノイズであるのか等を判断する。このような登録データの一例としては、各音の周波数を解析して作成されたデータが考えられるが、かならずしもこれに限定されるものではない。
【００３５】
図４は、本発明に係わる電子機器１の基本情報を示すエリアである状態エリアＤｎを示している。状態エリアＤｎには、現在時刻を格納する時刻エリアＤ１、アラームを設定する時刻を格納するアラーム時刻エリアＤ２、留守番電話モードエリアＤ３などからなる。留守番電話モードエリアＤ３では、留守番電話モードが設定されていない場合は０（無効）が、設定されている場合は１（有効）が、録音中のときは２がセットされる。
【００３６】
図５は、本発明に係わる電子機器１の制御内容を表示する際に参照するエリアである表示情報エリア（請求項に記載の表示情報テーブル）Ｅｎを示している。例えば、エリアＥ１は、他の電子機器の音量を下げる際に表示するメッセージであり、制御信号の送信に伴い、表示部１１，２２へ該当する情報を表示させる。他のエリアＥ２〜Ｅ８についても同様であり、エリアＥ２は、他の電子機器の電源をオフする際に表示するメッセージ、エリアＥ３は、他の電子機器の電話を保留モードにする際に表示するメッセージ、エリアＥ４は、他の電子機器の電源を緊急にオフする際に表示するメッセージ、エリアＥ５は、他の電子機器から緊急連絡を行う際に表示するメッセージ、エリアＥ６は、他の電子機器のアラーム機能を動作させる際に表示するメッセージ、エリアＥ７は、他の電子機器で録音を開始する際に表示するメッセージ、エリアＥ８は、他の電子機器の時計を修正する際に表示するメッセージである。
【００３７】
図６は、本発明に係わる電子機器１が、制御対象となる他の電子機器２に対して送信する制御信号が登録されているエリアである他電子機器制御信号エリア（請求項に記載の他電子機器制御信号テーブル）Ｆｎを示している。信号の送信が決定すると、該当する制御信号データがこのエリアＦｎより読み出され、発信部１７より送信される。このエリアＦｎには、例えば赤外線リモコンで送信しているものと同様な信号が、あらかじめ何件が登録されている。これらの信号データは、新たに登録、編集することも可能で、新しい電子機器にも対応する。また、各電子機器において個別に制御信号を登録し、一つの音量ダウン信号で全ての音響関連機器を制御する以外にも、特定機器のみ制御させることも可能である。このエリアＦｎには、以下の制御信号が登録されている。
【００３８】
音量ダウン信号Ｆ１は、テレビやオーディオ等の音響関連機器に対して、その音量を下げる制御信号である。同様に、電源オフ信号Ｆ２は、周辺の音響電子機器の電源をオフするような制御信号である。保留信号Ｆ３は、通話中に携帯電話等の他の電子機器に着信があった場合に、その電子機器の通信を保留モードに移行させるための制御信号である。緊急電源オフ信号Ｆ４は、ガスをはじめとする調理機器等の電源を切るための制御信号である。
【００３９】
同様に、緊急連絡信号Ｆ５は、他の通信機器からガス会社や消防署等へ緊急連絡をさせるための制御信号である。アラーム信号Ｆ６は、通話中に設定していたアラーム起動時刻に達した場合に、アラーム機能を有する他の電子機器のアラームを作動させる制御信号である。録音シンクロ信号Ｆ７は、不在等で、着信時に留守番電話モードで繋がり録音がスタートした場合に、録音機能を有する他の電子機器に音声の録音を行うような制御信号である。時刻シンクロ信号Ｆ８は、オンライン等で時刻の修正を行った場合に、時刻機能を有する他の電子機器の時刻も自動的に修正させる制御信号である。
【００４０】
次に、上記構成の電子機器システムにおける処理動作について、図７ないし図１３に示すフローチャートおよび図１４に示す表示画面例を参照して説明する。ただし、図７は、通話機能を有する電子機器１の処理動作１を示しており、通話中の周辺ノイズに基づいて各種制御信号を送信する処理を示すフローチャートである。また、図８は、通話機能を有する電子機器１の処理動作２を示しており、通話中のアラーム時刻に基づいて制御信号を送信する処理を示すフローチャートである。また、図９は、通話機能を有する電子機器１の処理動作３を示しており、通話中の留守番電話の録音処理を示すフローチャートである。また、図１０は、通話機能を有する電子機器１の処理動作４を示しており、通話中において時刻の修正処理を示すフローチャートである。また、図１１は、制御対象である他の電子機器２が電子機器１からの制御信号を受信したときの、その制御信号に対応した処理動作の一例を示すフローチャートである。
【００４１】
［処理動作１］
まず、他の電子機器２を制御可能な通話機能を有する電子機器１の処理動作１について、図７を参照して説明する。
【００４２】
通話機能を有する電子機器１で通話中において、通話の相手の声を受信しているデータより検出するとともに、通話中の周辺ノイズをマイクを通じて検出する（ステップＧ１）。検出ノイズは、図３に示すノイズテーブルエリアＣｎに格納されている各種警報音やケトル音などとマッチングを行い（ステップＧ２）、ノイズがガス警報機や火災報知機等の警報音、ケトル音、他の電話の呼出音などでないかを調べる（ステップＧ３、Ｇ８、Ｇ１１）。
【００４３】
ここで、ノイズがガス警報機や火災報知機等の警報音であると判断された場合（ステップＧ３でＹｅｓと判断された場合）には、図２に示す他電子機器制御エリアＢｎの緊急電源フラグＢ４をチェックする（ステップＧ４）。その結果、緊急電源フラグＢ４が有効の場合には、ガスコンロや暖房機器等の他の電子機器の電源を落とすための制御信号を送信する（ステップＧ５）。緊急電源フラグＢ４が無効の場合には、特別な処理は行わない。
【００４４】
続いて、他電子機器制御エリアＢｎの緊急連絡フラグＢ５をチェックする（ステップＧ６）。その結果、緊急連絡フラグＢ５が有効の場合には、緊急連絡信号を発信部１７から送信することにより（ステップＧ７）、緊急連絡を行うように、通信機能を有する他の電子機器を制御する。緊急連絡フラグＢ５が無効の場合には、特別な処理は行わない。
【００４５】
また、ノイズがケトル音であると判断された場合（ステップＧ８でＹｅｓと判断された場合）には、他電子機器制御エリアＢｎの緊急電源フラグＢ４をチェックする（ステップＧ９）。その結果、緊急電源フラグＢ４が有効である場合には、他の電子機器であるガスコンロの電源をオフする制御信号を送信する（ステップＧ１０）。緊急電源フラグＢ４が無効の場合には、特別な処理は行わない。
【００４６】
また、ノイズが携帯電話等の通信機能を有する他の電子機器の呼出音と認識された場合（ステップＧ１１でＹｅｓと判断された場合）には、他電子機器制御エリアＢｎの保留フラグＢ３をチェックする（ステップＧ１２）。その結果、保留フラグＢ３が有効である場合には、その通信機能を有する他の電子機器の保留機能が作動するような制御信号を送信する（ステップＧ１３）。保留フラグＢ３が無効の場合には、特別な処理は行わない。
【００４７】
ノイズが、警報音、ケトル音、通信機能を有する他の電子機器の呼出音のいずれでもない場合には、以下の処理を行う。
【００４８】
まず、スピーカより聞こえる通話相手の声と、マイクより検出される周辺ノイズの音量とを比較する（ステップＧ１４）。その結果、ノイズの音量が通話相手の音量より小さい場合（ステップＧ１４でＮｏと判断された場合）には、通話中のままで他の制御は行わない。一方、ノイズの音量が通話相手の音声より大きい場合（ステップＧ１４でＹｅｓと判断された場合）には、他電子機器制御エリアＢｎの電源フラグＢ２をチェックする（ステップＧ１５）。その結果、電源フラグＢ２が有効である場合には、ノイズの発生原因と考えられるテレビやオーディオ等の電子機器の電源をオフするような制御信号を送信する（ステップＧ１７）。また、電源フラグＢ２が無効の場合には、次に他電子機器制御エリアＢｎの音量フラグＢ１をチェックする（ステップＧ１６）。その結果、音量フラグＢ１が有効であれば、音量を下げるような制御信号を送信する（ステップＧ１８）。音量フラグＢ１が無効の場合には、特別な処理は行わない。
【００４９】
以上の処理は、通話者のどちらかが回線を切る操作を行わない限り、各制御信号の送信、未送信に関係なく、通話機能を有する電子機器は常に通話状態を継続している。制御信号の送信は、ユーザの操作無しで自動的に行うことが可能であるが、ユーザがキー（ボタン）を押す等の操作をすることにより送信を行うように構成することも可能である。
【００５０】
次に、上記の処理によって電子機器１から送信される制御信号に対する、他の電子機器２の１つの処理動作例について説明する。ここでは、図７に示すステップＧ１７で電源をオフするような制御信号が送信された場合、およびステップＧ１８で音量を下げるような制御信号が送信された場合の他の電子機器２の処理動作について、図１１に示すフローチャートを参照して説明する。
【００５１】
オーディオ等の他の電子機器２は、動作中において、制御信号が受信されるのを待つ（ステップＨ１）。そして、制御信号が受信されると、受信した制御信号が電源をオフにする信号であるかをチェックする（ステップＨ２）。その結果、受信信号が電源をオフする信号である場合には、その電子機器は自らの電源をオフとする制御を行う（ステップＨ４）。一方、電源をオフする信号でない場合（ステップＨ２でＮｏと判断された場合）には、次に、受信信号が音量を下げる信号であるかチェックする（ステップＨ３）。その結果、受信信号が音量を下げる信号である場合には、その電子機器は自ら音量を下げる制御を行う（ステップＨ５）。受信信号が音量を下げる信号でない場合や制御信号自体が受信されなかった場合には、特別な処理は行わない。
【００５２】
［処理動作２］
次に、通話機能を有する電子機器１の処理動作２について、図８のフローチャートを参照して説明する。
【００５３】
電子機器１は、通話中においてアラーム作動時刻になるのを待つ（ステップＪ１）。そして、アラーム作動時刻になると、図２に示す他電子機器制御エリアＢｎのアラームフラグＢ６をチェックする（ステップＪ２）。その結果、アラームフラグＢ６が無効の場合には、特別な処理は行わない。一方、アラームフラグＢ６が有効の場合には、他の電子機器のアラーム機能を作動させるような制御信号を送信する（ステップＪ３）。
【００５４】
例えば、ここでは通話機能を有する電子機器１として携帯電話を想定し、その携帯電話にアラームを設定していた場合を考えると、通話中に設定しているアラーム時刻に達した際に、アラームフラグＢ６がセットされていれば、自動的に、図６に示す他電子機器制御信号エリアＦｎのアラーム信号Ｆ６を発信部１７より送信する。アラーム機能を有するオーディオ機器（他の電子機器）などがこの信号を受信し、受信信号から制御内容を読み取り、アラームを発動させる。これにより、携帯電話で通話中であっても、アラームの設定時刻になると、オーディオ機器等からもアラーム音が発せられるので、ユーザは設定時刻になったことを知ることができる。
【００５５】
［処理動作３］
次に、通話機能を有する電子機器１の処理動作３について、図９のフローチャートを参照して説明する。
【００５６】
電子機器１は、通話中において留守番電話の録音が始まるのを待つ（ステップＫ１）。図４に示す状態エリアＤｎの留守番電話モードエリアＤ３が録音中にセットされて録音がスタートしたら、図２に示す他電子機器制御エリアＢｎの録音フラグＢ７をチェックする（ステップＫ２）。その結果、録音フラグＢ７が無効の場合は、特別な処理は行わない。一方、録音フラグＢ７が有効の場合には、他の電子機器に録音をさせるような制御信号として、他電子機器制御信号エリアＦｎの録音シンクロ信号Ｆ７が選択され、発信部１７より送信される（ステップＫ３）。電子機器１は、制御信号を送信後、引き続き録音内容として記録するデータを送信する（ステップＫ４）。このデータは、実際に通話機能を有する電子機器で録音するデータをそのまま送信することも可能である。この録音データ（メッセージ）の録音が終了するまで、すなわち、状態エリアＤｎの留守番モードエリアＤ３が２ではなくなるまで（ステップＫ５でＮｏと判断されるまで）、データの送信が行われ、録音終了とともに、データ送信も終了する。
【００５７】
例えば、通話機能を有する電子機器として携帯電話を想定し、録音機能を有する他の電子機器として固定電話を想定した場合、携帯電話で通話中に他の着信があった場合、録音フラグＢ７がセットされていれば、携帯電話より自動的に他電子機器制御信号エリアＫｎの録音シンクロ信号Ｆ７を発信部１７より送信する。固定電話がこの信号を受信して録音を開始し、さらに録音すべき内容を受信することにより、固定電話のメモリに対しての録音が行われる。この際、携帯電話および固定電話の双方で録音を行うことも可能であり、また、個別に録音を行うことも可能である。
【００５８】
［処理動作４］
次に、通話機能を有する電子機器１の処理動作４について、図１０のフローチャートを参照して説明する。
【００５９】
電子機器１は、通話中において時刻の修正が行われた際に、次の処理を行う。
【００６０】
まず、電子機器１は、時刻の修正が確定するのを待つ（ステップＭ１）。時刻の修正が確定したら、状態エリアＤｎの時刻エリアＤ１に新しい時刻が書き換えられる（ステップＭ２）。その後、他電子機器制御エリアＢｎの時刻フラグＢ８をチェックする（ステップＭ３）。その結果、時刻フラグＢ８が無効の場合には、特別な処理は行わない。一方、時刻フラグＢ８が有効の場合には、時刻エリアＤ１に書き込まれている時刻を、他の時計機能を有する電子機器の時計に書き込むような制御信号を送信する（ステップＭ４）。
【００６１】
例えば、電子機器として携帯電話、テレビ、オーディオ等を例に考えると、携帯電話においてオンラインで時刻設定が行われた際に、メモリ上の時刻フラグＢ８がセットされていれば、携帯電話より自動的に時計シンクロ信号Ｆ８が送信され、テレビ、オーディオがこの信号を受信することにより、それぞれの機器の時刻が携帯電話のものと同様に修正される。これにより、手入力による誤差や負担を軽減することができる。
【００６２】
［実施例］
次に、本発明に係わる電子機器の周辺で、ガスの警報音が鳴動し、かつオーディオ機器より音楽が流れている場合を想定した実施例について、図１２および図１３に示すフローチャートを参照して説明する。ただし、図１２は通話相手の音声や周辺ノイズの検出動作を示し、図１３は検出ノイズのマッチングについての動作を示している。ただし、他電子機器制御エリアＢｎの緊急電源フラグＢ４と音量フラグＢ１は共に有効となっており、通話相手の音声より周辺ノイズのほうが大きいものとする。
【００６３】
この電子機器１で通話が始まると、一定時間間隔（Ｔｉ秒）で、受信している通話相手の声の音量を計測するとともに（ステップＮ１）、マイクより周辺ノイズを集音し（ステップＮ２）、集音したノイズの音量を計測する（ステップＮ３）。通話相手の声は、受信信号の波形よりその音量を計測する。また、周辺ノイズに対しては、電子機器１の受信部（マイク）１８から音を拾い、その入力波形データを作成する（ステップＮ４）。
【００６４】
次に、その周波数データと、図３に示すノイズテーブルエリアＣｎに格納されている各音のテンプレートとの誤差を算出する（ステップＮ５）。すなわち、ガス警報音（ステップＮ６）、火災警報音（ステップＮ７）、侵入警報音（ステップＮ８）、ケトル音（ステップＮ９）、携帯電話の呼出音（ステップＭ１０）等の全てについて、テンプレートとの誤差を順次算出する。この実施例では、ガス警報音が鳴動しているので、周辺ノイズデータはガス警報音との誤差が特に小さくなる。電子機器１では、このような全てのテンプレートとの誤差を求める処理を、一定時間Ｔ０（Ｔ０＞＞Ｔｉ）が経過するまで（ステップＮ１１でＹｅｓと判断されるまで）、一定時間間隔（Ｔｉ秒）で繰り返し行う。
【００６５】
ここで、通話相手の声や周辺ノイズの音量値、および各音との誤差は、その都度加算されている。ガス警報音は引き続き鳴動しているため、その誤差は他の音との誤差に比べて大きくならない。
【００６６】
そして、これらの検出処理が一定時間Ｔ０（Ｔ０＞＞Ｔｉ）行われると（ステップＮ１１でＹｅｓと判断されると）、電子機器１は音の検出を停止し、加算された音量値より、通話相手の声（音）と周辺ノイズの音量とを算出して（ステップＮ１２，Ｎ１３）、図１３に示すマッチング処理へ移行する。
【００６７】
マッチング処理では、算出された各音との誤差を基に、周辺ノイズにどのような音が含まれているのかのマッチングを行う。すなわち、算出されたガス警報音、火災警報音、侵入警報音、ケトル音、携帯電話の呼出音などの各誤差が、基準値より小さいかどうかを判断する（ステップＰ１，Ｐ３，Ｐ５，Ｐ７，Ｐ９）。その結果、それぞれの誤差が基準値より小さければ、周辺ノイズにそれぞれの音が含まれている、すなわち、電子機器１の周辺でガス漏れや火災、泥棒の侵入やヤカンの沸騰、携帯電話の呼び出しが発生していると判断される（ステップＰ２，Ｐ４，Ｐ６，Ｐ８，Ｐ１０）。ただし、ここでいう基準値は、経験的に求められた値を用いているが、ユーザ自身が設定することも可能である。
【００６８】
この例では、ガス警報音との誤差が小さく、またそれ以外の音との誤差は基準値よりも大きいため、周辺の音にはガス警報音があるだけと判断される。
【００６９】
このようにして、通話相手の声と周辺ノイズの検出およびマッチングとが終了したら、制御信号の送信処理にはいる。すなわち、周辺ノイズにガス警報音があり、さらに図２に示す他電子機器制御エリアＢｎの緊急電源フラグＢ４が有効になっているので、緊急電源オフ信号を送信する。つまり、送信する制御信号として、図６に示す他電子機器制御信号エリアＦｎの緊急電源オフ信号Ｆ４が選択され、発信部１７よりこの緊急電源オフ信号Ｆ４が送信される。
【００７０】
この緊急電源オフ信号Ｆ４は、ガス漏れを引き起こしていた電子機器の受信部に受信される。緊急電源オフ信号Ｆ４を受信した電子機器は、電源オフ信号であることを判断し、自ら電源をオフして、その後のガスの発生をくい止める。  また、この実施例では、オーディオ機器から音楽も流れているので、検出した通話相手の声（音）の音量よりも周辺ノイズの方が大きくなっている。この場合、他電子機器制御エリアＢｎの音量フラグＢ１が有効となっているので、電子機器１は、引き続いて、音量ダウン信号の送信処理を行う（図７のステップＧ１８）。すなわち、他電子機器制御信号エリアＦｎの音量ダウン信号Ｆ１が選択され、発信部１７より送信される。
【００７１】
この音量ダウン信号Ｆ１は、音楽を鳴らしているオーディオ機器の受信部に受信される。この音量ダウン信号Ｆ１を受信したオーディオ機器は、音量を下げる。
【００７２】
このようにして、通話中に、自動的にガス機器の電源をオフとし、オーディオ機器の音量を下げることができる。
【００７３】
図１４は、通話機能を有する電子機器１および制御対象となる他の電子機器２のそれぞれの表示部１１、２２に、制御内容を表示した例を示しており、図では他の電子機器２への音量ダウン信号の送信の場合を例示している。
【００７４】
すなわち、電子機器１では、制御信号を送信する際、送信する信号が決定した後に、図５に示す表示情報エリアＥｎの該当するデータを、通話機能を有する電子機器１の表示部１１、および制御対象となる他の電子機器２の表示部２２へ出力する。このとき、通話機能を有する電子機器１と、他の電子機器２とにおいて、双方同時に表示させてもよいし、特定機器のみ（例えば、電子機器１のみ）に制御内容を表示させるように設定してもよい。
【００７５】
【発明の効果】
本発明に係わる他の電子機器を制御可能な電子機器によれば、通話機能を有する電子機器より自動的に制御信号を出力（送信）した際に、その制御信号の内容を送信側の電子機器および受信側の電子機器の双方で表示することができるので、実際にどのような制御を行っているのかを目視により確認することができる。
【図面の簡単な説明】
【図１】本発明に係わる電子機器と他の電子機器とを含むシステム全体の構成を示すブロック図である。
【図２】通話中に、他の電子機器の制御の設定を行うために使用するエリアである他電子機器制御エリアを示す説明図である。
【図３】通話中の周辺ノイズが何の音か判定する際に必要となるノイズのテンプレートを集めたエリアであるノイズテーブルエリアを示す説明図である。
【図４】電子機器の基本情報を示すエリアである状態エリアを示す説明図である。
【図５】電子機器の制御内容を表示する際に参照するエリアである表示情報エリアを示す説明図である。
【図６】電子機器が、制御対象となる他の電子機器に対して送信する制御信号が登録されているエリアである他電子機器制御信号エリアを示す説明図である。
【図７】通話機能を有する電子機器の処理動作１を示しており、通話中の周辺ノイズに基づいて各種制御信号を送信する処理を示すフローチャートである。
【図８】通話機能を有する電子機器の処理動作２を示しており、通話中のアラーム時刻に基づいて制御信号を送信する処理を示すフローチャートである。
【図９】通話機能を有する電子機器の処理動作３を示しており、通話中の留守番電話の録音処理を示すフローチャートである。
【図１０】通話機能を有する電子機器の処理動作４を示しており、通話中において時刻の修正処理を示すフローチャートである。
【図１１】制御対象である他の電子機器が電子機器からの制御信号を受信したときの、その制御信号に対応した処理動作の一例を示すフローチャートである。
【図１２】通話相手の音声や周辺ノイズの検出動作を示すフローチャートである。
【図１３】検出ノイズのマッチングについての動作を示すフローチャートである。
【図１４】通話機能を有する電子機器および制御対象となる他の電子機器のそれぞれの表示部に、制御内容が表示した例を示す説明図である。
【符号の説明】
１  通話機能を有する電子機器
２  他の電子機器
１１，２２  表示部
１２  通信部
１３，２５  キー入力部
１４，２７  ＣＰＵ
１５，２６  ＲＯＭ
１６，２８  ＲＡＭ
１７  発信部
１８，２１  受信部
１９，２４  スピーカ
２３  駆動部
Ｂｎ  他電子機器制御エリア
Ｃｎ  ノイズテーブルエリア
Ｄｎ  状態エリア
Ｅｎ  表示情報エリア
Ｆｎ  他電子機器制御信号エリア
【図１】
0004342707.tif 000002
【図２】
0004342707.tif 000003
【図３】
0004342707.tif 000004
【図４】
0004342707.tif 000005
【図５】
0004342707.tif 000006
【図６】
0004342707.tif 000007
【図７】
0004342707.tif 000008
【図８】
0004342707.tif 000009
【図９】
0004342707.tif 000010
【図１０】
0004342707.tif 000011
【図１１】
0004342707.tif 000012
【図１２】
0004342707.tif 000013
【図１３】
0004342707.tif 000014
【図１４】
0004342707.tif 000015